(57)【特許請求の範囲】
【請求項１】
人体のほぼ正中線に沿う断面における輪郭の一部を模したものであって、
水平に設置可能な第一の回転軸と、この回転軸を中心として揺動可能な首部と、第二の回転軸を介して揺動可能に前記首部に連結された頭部と、水平面に対する前記首部の中心線の角度を針により表示する第一の分度器と、前記首部中心線に対する前記頭部の中心線の角度を針により表示する第二の分度器とを備えていることを特徴とする誤嚥説明シミュレーター。
【請求項２】
さらに、前記首部の中心線と常に平行で、ベットを表す模型が設けられている請求項１に記載のシミュレーター。
【請求項３】
前記第一の回転軸及び前記第一の分度器が台に設けられており、第一分度器の針が第一回転軸と共回りする請求項１又は２に記載のシミュレーター。
【請求項４】
前記第二の分度器が側頭部の位置に設けられており、その針が前記首部中心線と常に平行になるように首部とリンクしている請求項１〜３のいずれかに記載のシミュレーター。
【請求項５】
前記首部及び前記頭部の所定箇所に消化器官及び呼吸器官の模型が設けられている請求項１〜４のいずれかに記載のシミュレーター。
【請求項６】
前記消化器官及び呼吸器官の模型が、柔軟な材料により一体成型されている請求項５に記載のシミュレーター。
【発明の詳細な説明】
【０００１】
【発明の属する技術分野】
本発明は、誤嚥の防止方法を学習又は説明するためのシミュレーターに属する。
【０００２】
【従来の技術】
病院や老人ホームでは、寝たきりの被介護人が食事中に誤嚥する事故がたびたび起こる。誤嚥とは、図４に示すように、食物Ａが口腔Ｂから消化器官である食道Ｄへ送り込まれずに誤って呼吸器官である気管Ｃに入ってしまうことを言い、誤嚥を起こすと呼吸困難又は肺炎になり、場合によっては死ぬこともある。
【０００３】
誤嚥の起こりやすさは、首の角度及び首に対する頭の角度によって異なる。なぜなら、これらの角度によって消化器官及び呼吸器官の状態が異なるからである。例えば、図５に示すように頭を後ろに反らして食事をすると誤嚥を起こしやすいが、その理由は、口腔Ｂと気管Ｃとの位置関係が直線的になること、喉頭蓋Ｅが閉じにくくなること、及び、食道Ｄが頸椎Ｆに圧迫されて狭くなることによる。
【０００４】
誤嚥を防ぐためには、看護婦等の介護人が、食事を与える際に被介護人の首の角度が適切になるようにギャッジベッドの背部を起こし、また、頭の角度が適切に保たれるように注意を払わなければならない。水平面に対する首の適切な角度（ベッド背部の適切な角度）は３０〜４５°であり、首に対する頭の適切な角度は前方に１５〜２０°であると言われている。
【０００５】
【発明が解決しようとする課題】
しかし、介護人は上記数値範囲を覚えていても、その範囲にあるときの首及び頭の姿勢をイメージとして記憶していなければ、実践することができない。そのため、介護人又はこれを目指す者は、誤嚥を防止するのに適当な姿勢を、人体を模したシミュレーターを通して学習し又は説明を受けるのが望ましい。だが、従来はふさわしいシミュレーターが無かった。
それ故、本発明の目的は、上記課題を解決し、誤嚥の防止方法を学習又は説明するのに適したシミュレーターを提供することにある。
【０００６】
【課題を解決するための手段】
本発明のシミュレーターは、
人体のほぼ正中線に沿う断面における輪郭の一部を模したものであって、
水平に設置可能な第一の回転軸と、この回転軸を中心として揺動可能な首部と、第二の回転軸を介して揺動可能に前記首部に連結された頭部と、水平面に対する前記首部の中心線の角度を針により表示する第一の分度器と、前記首部中心線に対する前記頭部の中心線の角度を針により表示する第二の分度器とを備えていることを特徴としている。
【０００７】
本発明のシミュレーターでは、正中線断面における輪郭を模した首部及び頭部を備え、揺動させることによりこれらの角度を変えることができる。また、水平面に対する首部中心線の角度及び首部中心線に対する頭部中心線の角度は第一分度器及び第二分度器に各々表示される。よって、本発明のシミュレーターによると、首部及び頭部の角度が何度のときにどのような姿勢になるかを実際に見て、覚えることができる。
【０００８】
本発明のシミュレーターにおいて、第一の回転軸は安定した台に取り付けられると良い。肩を模した肩部が設けられても良いが、この場合、肩部が上記の台を兼ねるようにすることもできる。また、被介護人は通常寝たきりであり、介護人が首の姿勢を適切にする際にはギャッジベットの背部の傾きを調節するので、より実践的な学習をするためには、首部中心線と常に平行なベッドの模型を設けると良い。第一、第二の分度器としては、回転軸と、回転軸を中心とする円の軌道上に角度の目盛が付された表示面と、回転軸に一端が固定された針とを備えたものが好ましい。
【０００９】
第一の分度器に水平面に対する首部中心線の角度を表示させるための好ましい手段は、これらの分度器が設けられる位置によって異なる。例えば、第一分度器を台などの安定した部材に設ける場合には、首部中心線の角度の変化分だけ針の向きを変化させれると良い。首部角度の変化分だけ針の向きを変化させる手段としては、リンク機構を利用するか、前記第一回転軸を分度器の回転軸とし、これと針を共回りさせると良い。また、第一分度器を首部に設ける場合には、分度器の表示面が首部とともに揺動して向きを変えるので、針の向きを固定させることにより首部中心線の角度を第一分度器に表示させることができる。
【００１０】
第二分度器の好適な角度表示手段についても、同様に第二分度器の位置により異なる。例えば、第二分度器を頭部に設ける場合には、表示面の向きは頭部とともに変わるので、リンク機構により、分度器の針が常に首部中心線と平行になるようにすれば、首部中心線に対する頭部中心線の角度が第二分度器に表示される。また、第二分度器を首部に設けて、分度器の針を第二回転軸と共回りさせても良い。
【００１１】
分度器が設けられる位置として最も好ましいのは、第一分度器については肩の位置若しくは肩に近い位置であり、第二分度器については側頭部の位置である。第一分度器及び第二分度器をこれらの位置に設けると、シミュレーターを小型化することができ、さらに、首部や頭部の傾きと角度値とを同時に見ることができるため、首部や頭部の傾きを記憶しやすい。
【００１２】
首部及び頭部の所定箇所に消化器官及び呼吸器官の模型を設けると、首部及び頭部の角度変化に伴う消化器官及び呼吸器官の状態の変化も見ることができるので、首及び頭の角度と誤嚥との因果関係を理解するのに役立つ。消化器官及び呼吸器官の変化をよりリアルに表すために、これらの模型は柔軟な材料により一体成型されるのが好ましい。尚、全体を正中線より偏った軸線に沿う断面に模したものとする場合、これら器官が観察できるように適宜透明材料を用いると良い。
【００１３】
【発明の実施の形態】
−第１実施形態−
本発明の第１実施形態を図面とともに説明する。
図１は第１実施形態のシミュレーターを示す斜視図であり、図２はその正面図である。
【００１４】
本実施形態のシミュレーター１では、人体の肩から頭までの正中線断面を模している。肩部２は台を兼ねており、正面には第一分度器５を有する。首部３は、肩部２に水平方向に設置された第一回転軸７に固定されていて、そのため揺動可能である。また、第一回転軸７の端部には、第一分度器５の針５ａが首部３の中心線と平行になるように固定されている。よって、首部３を揺動させると、同時に第一回転軸７と針５ａとが共回りし、その結果、水平面に対する首部中心線の角度が第一分度器５に表示される。
【００１５】
頭部４は第二回転軸８を介して首部３に対して揺動可能に連結されており、側頭部の位置には第二分度器６が設けられている。第二分度器６の針６ａは、首部中心線と平行であり、また、第三回転軸９、円形の板１０、及び棒１１を介して首部３とリンクしている。板１０は、頭部４の背面に設けられていて、回転軸９及び針６ａと共回りしうる。棒１１の一方の端部は板１０の背面に揺動可能に固定され、他方の端部は首部３の背面に揺動可能に固定されている。また、棒１１の長さ及び方向は、第二回転軸８と第三回転軸９とを結ぶ線分の長さ及び方向と等しい。
【００１６】
よって、頭部４を揺動させて、首部中心線に対する頭部中心線の角度を変化させても、板１０が、棒１１により揺動方向とは逆方向に同じ角度分だけ頭部４に対して回転する。その結果、第二分度器６の表示面６ｂの向きは変わるが、針６ａは首部中心線と平行な向きを保ったままとなる。従って、第二分度器６には首部中心線に対する頭部中心線の角度が表示される。
【００１７】
本実施形態では、首部３及び頭部４が揺動可能であり、水平面に対する首部３の角度及び首部３に対する頭部４の角度がそれぞれ分度器５、６に表示される。従って、各角度に対応した首部３及び頭部４の姿勢を観察し学習することができる。また、本実施形態では、二つの分度器５、６がそれぞれ肩部２、頭部４の側頭部に設けられている。そのため、これらが邪魔にならず、さらに、首部３及び頭部４の傾きと角度値とを同時に見ることができるので、首部３及び頭部４の傾きをイメージとして記憶しやすい。
【００１８】
本実施形態のシミュレーター１は、鼻腔、口腔、喉頭、気管、食道、喉頭蓋等の器官を模した消化・呼吸器官部１２を備えている。そして、首部３又は頭部４の角度を変えると、それに伴って消化・呼吸器官部１２の状態が現実の消化・呼吸器官と同じように変化する。よって、本実施形態によると、首及び頭の角度の違いに対する消化・呼吸器官の状態の違いを視覚的に把握することができ、誤嚥の原因について理解するのが容易となる。
【００１９】
また、本実施形態では、消化・呼吸器官部１２がゴム等の柔軟な材料により一体成型されている。さらに、頸椎部１３も備え、その上、消化・呼吸器官部１２及び頸椎部１３が柔軟性材料からなる肉部１４によって包まれている。そのため、首部３又は頭部４の角度を変えると、消化・呼吸器官部１２の頸椎部１３に対する距離や、消化・呼吸器官部１２に作用する圧力の大きさ及び向きも変化する。よって、本実施形態では、消化・呼吸器官部１２の変化の様子が現実の消化・呼吸器官とかなり近い。
【００２０】
−第２実施形態−
図３は、第２実施形態のシミュレーターを示す正面図である。
本実施形態のシミュレーターでは、第１実施形態と同様に、人体の肩から頭までを模していて、肩部２、首部３、頭部４、第一分度器５、第二分度器６、第二回転軸８、第三回転軸９、板１０、棒１１、消化・呼吸器官１２、頸椎部１３、及び肉部１４を有する。また、本実施形態では、これらに加えて、ベットを模したベット部１５を有する。
【００２１】
ベット部１５は、首部中心線と平行になるように肩部２及び首部３と一体成形されており、第一回転軸７を介して台に固定されている。そのため、肩部２、首部３及びベット部１５からなる一体は、第一回転軸７を中心にして揺動しうる。また、台には、第一分度器５が設けられている。第一分度器５の針５ａは、首部中心線（ベット部１５）と平行になるように第一回転軸７の端部に固定されており、これと共回りしうる。よって、首部３を揺動させると、水平面に対する首部中心線の角度（ベット部１５の角度）が第一分度器５に表示される。尚、首部３を揺動させる際には、肩部２に取り付けられたつまみ１６を用いると良い。
【００２２】
本実施形態によると、第１実施形態と同様に、首部３及び頭部４の角度を変えることができ、これらの角度が第一、第二分度器５、６に各々表示される。よって、誤嚥を防止するために適切な首及び頭の姿勢をイメージとして記憶することができる。さらに、本実施形態では、首部３とともに揺動するベット部１５が設けられている。従って、適切な首の姿勢とともに適切なベットの傾きも記憶することができるので、より実践的な学習が可能である。
【００２３】
【発明の効果】
本発明のシミュレーターによると、誤嚥を防止するのに適切な身体の姿勢を目で覚えることができ、誤嚥の防止方法を習得することができる。また、身体の姿勢と誤嚥との関係を容易に理解することができる。
【図面の簡単な説明】
【図１】第１実施形態のシミュレーターを示す斜視図である。
【図２】第１実施形態のシミュレーターを示す正面図である。
【図３】第２実施形態のシミュレーターを示す正面図である。
【図４】誤嚥を説明するための図である。
【図５】誤嚥を説明するための図である。
【符号の説明】
１シミュレーター
２肩部
３首部
４頭部
５第一分度器
５ａ針
６第二分度器
６ａ針
７第一回転軸
８第二回転軸
９第三回転軸
１０板
１１棒
１２消化・呼吸器官部
１３頸椎部
１４肉部
１５ベット部
１６つまみ
【図１】
0003568435.tif 000002
【図２】
0003568435.tif 000003
【図３】
0003568435.tif 000004
【図４】
0003568435.tif 000005
【図５】
0003568435.tif 000006